(57)【特許請求の範囲】
【請求項１】
飲料を収容するための容器本体と、
前記容器本体を覆う中蓋部と、
前記中蓋部に形成される、飲料を排出する飲み口部と、
前記飲み口部を閉塞する飲み口閉塞部と、
前記中蓋部に対して係脱可能に配置される外蓋部と、
前記容器本体の外部に対する通気を確保する通気部と、
前記外蓋部と前記中蓋部との係合を解除する解除操作部と、を有し、
前記外蓋部が前記中蓋部に対して閉状態になるように配置されたきに、前記通気部を閉
塞状態とすることができる閉塞位置に配置されると共に、前記解除操作部の解除動作に基
づき、前記通気部を通気状態とする通気位置に配置される閉塞通気兼用部を備え、
前記通気位置では、前記閉塞通気兼用部の少なくとも一部が、前記通気部から外部に対
する通気路を確保する通気確保部となり、
前記通気部は、筒状部を有し、この筒状部内に弾性部材で形成された細長い切れ目となっているスリット部が設けられ、
前記閉塞通気兼用部は、前記筒状部を覆うように配置可能となっていると共に突起部を有し、前記突起部は前記筒状部内に配置され、
前記解除操作部は、その移動によって、前記外蓋部の前記中蓋部に対する係合を解除する構成となっていると共に、前記解除操作部の移動方向に沿って、前記閉塞通気兼用部を移動させることで、前記突起部が前記スリット部を開放させる構成となっており、
前記スリット部の長手方向の配置方向が、前記解除操作部の前記移動方向に対し、交差
する方向となっていることを特徴とする飲料容器。
【発明の詳細な説明】
【技術分野】
【０００１】  本発明は、飲料を内部に収容し得る飲料容器に関するものである。
【背景技術】
【０００２】  従来、例えば、乳幼児等が飲料を飲む際に用いるカップ等の飲料容器には、容器に蓋を配置すると共に、この蓋にストローを配置するものがある。このような、ストロー付き飲料容器は、乳幼児等が、容器内の飲料をストローを用いて飲む練習をすることができるという利点があり、多くの母親等の保護者が使用している。  ストロー付き飲料容器は、内部に飲料を収容し、ストローを配置した状態で、保護者等が持ち運ぶことができるように、ストローを閉塞状態にして、ストローを覆うように配置される外蓋が形成されている。【０００３】  しかし、このストロー付き飲料容器内に暖めたミルク等を収容し、外蓋を閉めて保護者が持ち運ぶと、容器内の圧力が高まり，大気圧との差圧が生じる。このため、保護者が移動先等で外蓋を開け、ストローの閉塞状態を解除すると、ストローから容器内の暖めたミルク等が噴出等するという問題があった。  このため、従来より、飲料容器の蓋には、容器内の空間と連通する通気孔等を設け、容器内のミルク等の飲料がストロー等から噴出等するのを未然に防止するようにしている。【０００４】  一方、かかる通気孔が存在すると、保護者等がストロー付き飲料容器を、バッグ等内に収容して持ち運ぶ際に容器内の飲料が漏れ出すという問題があった。  このため、通気孔を弁構造にするものや、外蓋を開ける際に通気孔に通気動作をさせる構成が提案されている。また、ストロー付き飲料容器を持ち運ぶ際や、乳幼児等がストローをくわえ、飲料容器の飲料を飲む際には、通気孔が塞がれる構成とする提案もなされている（例えば、特許文献１）。
【先行技術文献】
【特許文献】
【０００５】
【特許文献１】特開２００６−３３５４６４号公報（図５、図７及び図８等）
【発明の概要】
【発明が解決しようとする課題】
【０００６】  しかし、特許文献１の発明のように、凸部を用いて、通気孔を塞ぐ構成を採用しても、この凸部はスライドする部材に設けられており、凸部の位置がずれて、通気孔を精度良く塞ぐことができない場合があり、この場合は、依然として飲料容器内の飲料が漏れ出す等の問題があった。また、通気孔を弁構造としても、弁自体に不具合等が発生した場合も飲料が漏れ出す等の問題があった。【０００７】  そこで、本発明は、飲料容器内の圧力の開放を効果的に且つ長期間にわたって持続させ、飲料容器内の飲料の漏れだし等を効果的に防ぐことができる飲料容器を提供することを目的とする。
【課題を解決するための手段】
【０００８】
前記目的は、本発明によれば、飲料を収容するための容器本体と、前記容器本体を覆う中蓋部と、前記中蓋部に形成される、飲料を排出する飲み口部と、前記飲み口部を閉塞する飲み口閉塞部と、前記中蓋部に対して係脱可能に配置される外蓋部と、前記容器本体の外部に対する通気を確保する通気部と、前記外蓋部と前記中蓋部との係合を解除する解除操作部と、を有し、前記外蓋部が前記中蓋部に対して閉状態になるように配置されたきに、前記通気部を閉塞状態とすることができる閉塞位置に配置されると共に、前記解除操作部の解除動作に基づき、前記通気部を通気状態とする通気位置に配置される閉塞通気兼用部を備え、前記通気位置では、前記閉塞通気兼用部の少なくとも一部が、前記通気部から外部に対する通気路を確保する通気確保部となり、前記通気部は、筒状部を有し、この筒状部内に弾性部材で形成された細長い切れ目となっているスリット部が設けられ、前記閉塞通気兼用部は、前記筒状部を覆うように配置可能となっていると共に突起部を有し、前記突起部は前記筒状部内に配置され、前記解除操作部は、その移動によって、前記外蓋部の前記中蓋部に対する係合を解除する構成となっていると共に、前記解除操作部の移動方向に沿って、前記閉塞通気兼用部を移動させることで、前記突起部が前記スリット部を開放させる構成となっており、前記スリット部の長手方向の配置方向が、前記解除操作部の前記移動方向に対し、交差する方向となっていることを特徴とする飲料容器により達成される。
【０００９】  前記構成によれば、外蓋部が中蓋部に対して閉状態になるように配置されたきに、通気部を閉塞状態とすることができる閉塞位置に配置されると共に、解除操作部の解除動作に基づき、通気部を通気状態とする通気位置に配置される閉塞通気兼用部を備えている。このため、外蓋部を中蓋部に対して閉状態になるように配置したとき、すなわち、利用者等が飲料容器を例えば、バッグ等に収容して、移動しているとき、通気部は閉塞通気兼用部によって閉塞されているので、容器本体内の飲料の漏出を未然に防止することができる。  一方、閉塞通気兼用部で通気部を閉塞すると、飲料の漏出を抑制できる反面、容器本体内の圧力の開放が不十分となり、飲み口部からの飲料の噴出等を招来するおそれがある。  そこで、前記構成では、閉塞通気兼用部は、解除操作部の解除動作に基づき、通気部を通気状態とする通気位置にも配置される構成となっている。  また、通気位置では、閉塞通気兼用部の少なくとも一部が、通気部から外部に対する通気路を確保する通気確保部として作用する構成ともなっている。  このため、例えば、利用者等が解除操作部を操作し、外蓋部と中蓋部との係合を解除したときは、閉塞通気兼用部により、通気部が通気状態となると共に、その閉塞通気兼用部の少なくとも一部が通気確保部として作用するので、容器本体内の圧力の開放が不十分となることを未然に防止する構成となっている。【００１１】  前記構成によれば、閉塞通気兼用部は、解除操作部の動作に対応して、その位置を移動することで、スリット部を広げることができる。  このため、解除操作部の動作で、外蓋部と中蓋部との係合が解除される際に、スリット部を確実に広げ、容器本体内の圧力の開放を確実なものとし、飲料の飲み口部からの噴出等を未然に防止することができる。また、容器本体内の圧力の開放を行うための別段の動作を行う必要がなく、煩雑な作業が不要となる。【００１３】  前記構成によれば、通気部の筒状部内にスリット部が設けられ、閉塞通気兼用部が筒状部に当接される。このため、閉塞通気兼用部は当接している筒状部が連動して移動することとなり、確実にスリット部を広げることができる。【００１５】  前記構成によれば、スリット部の長手方向の配置方向が、解除操作部の移動方向に対し、交差する方向となっているので、スリットが広がり易い構成となっている。
【発明の効果】
【００１６】  本発明は、飲料容器内の圧力の開放を効果的に且つ長期間にわたって持続させ、飲料容器内の飲料の漏れだし等を効果的に防ぐことができる飲料容器を提供することができるという利点がある。
【図面の簡単な説明】
【００１７】
【図１】本発明の飲料容器である例えば、ストローカップを示す概略図である。
【図２】図１のストローカップの外蓋を開いた状態を示す概略図である。
【図３】図１のストローカップの主要部の概略分解斜視図である。
【図４】図１のストローカップの主要部の他の概略分解斜視図である。
【図５】図１の外蓋、中蓋及びストロー等の配置状態を示す概略断面図である。
【図６】スリットが圧力調整突起によって広げられた状態を示す概略説明図である。
【図７】図４に示す閉塞通気兼用部の断面形状を示す概略図である。
【図８】図５の閉塞通気兼用部が、解除片の移動により図５のＸ１ｂ方向に移動したときの閉塞通気兼用部と通気部との関係を示す概略説明図である。
【発明を実施するための形態】
【００１８】  以下、この発明の好適な実施の形態を添付図面等を参照しながら、詳細に説明する。  なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】  図１に示す飲料容器である、例えば、ストローカップ１は、乳幼児等が飲料を飲み口部であるストローで飲む練習等をするためのカップである。  図１に示すように、ストローカップ１は、乳幼児等が飲む飲料を収容するために、その一端側に図示しない開口部を有する容器本体２を有すると共に、この容器本体２の開口部（図１の上側）を覆うように配置される中蓋部である例えば、中蓋３を有している。  したがって、容器本体２内に収容された液体は、中蓋３によって外部に漏れ出し難い構成となっている。  また、この中蓋３には、図１に示すように、両側に取っ手４ａ，４ｂが湾曲形状を成して配置されている。また、中蓋３に対しては、外蓋部である外蓋５が配置されている。
【００２０】  図１、図３及び図４に示すように、外蓋５は、全体が中蓋３から離間する方向に突出するように形成されるドーム形状を成している。  また、この外蓋５の内側には、後で詳述する漏れ防止プレート１２が、外蓋５に対して移動可能に配置されると共に、この漏れ防止プレート１２を挟み込むように、外蓋５と中蓋３が配置され得るように構成されている。
【００２１】  中蓋３は平面側の外形形状が略円形形状を成していると共に、その中央部には、その外側より段差を形成することで、低く成っている中央凹部３ｋが形成されている。  この中央凹部３ｋには、ストロー８を配置するための円形のストロー挿通孔３ｄが形成されている。  したがって、このストロー挿通孔３ｄにストロー８を挿入配置することで図２のようにストロー８を中蓋３に対して固定配置することが可能な構成となっている。
【００２２】  また、図２に示すように、外蓋５は、ヒンジ部材７を介して、中蓋３に対して揺動可能な構成となっている。すなわち、図２の矢印Ｒ１方向に沿って外蓋５が揺動することで、外蓋５は、中蓋３上から退避又は中蓋３上への配置が可能な構成となっている。  図３に示すように、ヒンジ部材７は、第１のヒンジ７ａ及び第２のヒンジ７ｂを有している。このようなヒンジ部材７を用いることで、外蓋５を図２に示すように、中蓋３から最大限、離間する方向に揺動させたときの外蓋５と中蓋３との角度は、２５０度程度とすることができる構成となっている。
【００２３】  図５に示すように、ヒンジ部材７には、ヒンジ凹部７ｄが形成され、ヒンジ部材７の近傍の中蓋３には、ヒンジ突起７ｃが形成されている。このため、図２に示すように、外蓋５が開くと、このヒンジ突起７ｃが、ヒンジ凹部７ｄに係合し、図２に示すように、外蓋５と中蓋３との角度を２５０度程度に固定することができる構成となっている。
【００２４】  中蓋３には、図３に示すように、その上面の中央凹部３ｋより段差を介して高く形成されている台部３ｌに、２つの外蓋用位置決め突部３ａ，３ｂが形成されている。この２つの外蓋用位置決め突部３ａ，３ｂは、外蓋５が中蓋３に閉塞位置に移動する際に正しい閉塞位置となるようにガイドするものであり、外蓋５の外蓋外周端部５ｃ，５ｄ（図４参照）が当接する。  このため、図１に示すように、外蓋５を中蓋３上に配置したときに、精度良く外蓋５を位置決めすることができる。これは、図２のヒンジ部材７のみでは、外蓋５を正確に位置決めできない場合に備えて形成されているものである。
【００２５】  また、図３に示すように、中蓋３には、上述のヒンジ部材７を装着するヒンジ受け部３ｃも形成されている。  そして、図２に示すように、中蓋３には、ストロー８が傾斜して突出するように取り付けられている。  したがって、利用者である乳幼児等が、図２のように外蓋５を開けて，取っ手４ａ，４ｂを把持し、ストロー８をくわえて、容器本体２内の飲料を飲む場合でも、外蓋５が、２５０度まで開きその位置を固定できるので、外蓋５が利用者の顔等に当接することがなく、飲みやすい構成となっている。
【００２６】  図３及び図４に示すように、中蓋３の中央凹部３ｋには、上述のようにストロー８を挿通するためのストロー挿通孔３ｄと、後述する通気部である通気弁１０を装着する通気弁装着孔３ｅが形成されている。  図３及び図４に示すように、ストロー８と通気弁１０は、連結されており，１部品となるように形成されている。これにより、部品点数が減り製造コストを低下させることができる上に、部品の紛失の機会を減らすことができる。また、ストロー８は、乳幼児等の利用者等が口にくわえても柔らかい軟質の樹脂部材等から形成されている。
【００２７】  また、図４に示すように、中蓋３の内側のストロー挿通孔３ｄの両側には、ストロー８の挿入位置を位置決めする突起であるストロー位置決め用ボス３ｆ，３ｇが形成されている。これらストロー位置決め用ボス３ｆ，３ｇは、図４に示すように、異なる大きさ（形状）となっている。
【００２８】  一方、ストロー８側には、図３に示すように、ストロー位置決め凹部８ａ，８ｂが形成され、それぞれ、ストロー位置決め用ボス３ｆ，３ｇに対応した大きさ（形状）となっている。  このため、利用者等がストロー８を中蓋３のストロー挿通孔３ｄに挿入する際に、これらストロー位置決め凹部８ａ，８ｂをストロー位置決め用ボス３ｆ，３ｇに適合するように装着することで、ストロー８の配置上の向きを誤ることがない構成となっている。
【００２９】  また、このようにストロー８を中蓋３に装着した際、ストロー８は、利用者等の唇等が配置される側である図２の左斜め上に向いて配置され、通気弁１０は、図２の右側、すなわち、ストロー８より、利用者の唇等から離れる側に配置される。  このため、利用者等が、ストローカップ１を傾けて、ストロー８から飲料を飲む際、通気弁１０は、ストロー８より高い位置となり、通気弁１０から飲料が漏れ出すことを防ぐことができる構成となっている。
【００３０】  通気弁１０は、弾性体により形成され、図３及び図４に示すように、その略中央部分には、容器本体２内の圧力を開放するスリット部である例えば、スリット１０ａが形成されている。
【００３１】  したがって、本実施の形態では、スリット１０ａにより、容器本体２内部の飲料が漏れ難い構成となっている。  スリット１０ａは、図５に示すように、通気弁１０のうち、容器本体２側に突出したドーム状の頂部に設けられている。このため、利用者がストロー８を介して飲料を吸引し、容器本体２の内部が陰圧になったとき、ドーム状の頂部が容器本体２側に移動し、変形し、スリット１０ａが開き易い構成となっている。  すなわち、空気を容器本体２内に吸気し易い構成となっている。したがって、利用者が容器本体２内の陰圧により、ストロー８を介して飲料を吸いにくくなることを未然に防ぐ構成となっている。  なお、本実施の形態では、開口部の例として、スリット１０ａを例に説明したが、本発明の開口部には、スリット１０ａのみならず通気孔等も含まれる。
【００３２】  ところで、図３及び図５に示すように、中蓋３の台部３ｌ上には、飲み口閉塞部である例えば、第１の中蓋側閉塞用突起３ｈと第２の中蓋側閉塞用突起３ｉが所定の間隔を介して、突出して配置されている。  一方、外蓋５側には、図４及び図５に示すように、飲み口閉塞部である外蓋側閉塞用突起５ｅが突出して配置されている。
【００３３】  そして、図４に示すように、外蓋５を中蓋３に対して、閉状態になるようにしたとき、外蓋側閉塞用突起５ｅが、第１の中蓋側閉塞用突起３ｈと第２の中蓋側閉塞用突起３ｉの間に入り込むように配置される。  また、このとき、ストロー８は、図５に示すように、外蓋側閉塞用突起５ｅ、第１の中蓋側閉塞用突起３ｈ及び第２の中蓋側閉塞用突起３ｉによって、Ｗ字状に屈曲させられ、ストロー８の内部空間が部分的に閉塞状態となる。  すなわち、ストロー８の長手方向において、３カ所でストロー８を押し潰し、閉塞する構成となっているストロー８を確実に閉塞させることができ、飲料の漏出をより確実に防止することができる構成となっている。
【００３４】  ところで、本実施の形態のストローカップ１は、上述のように、外蓋５に対して移動可能に配置されている漏れ防止プレート１２を備えているため、以下、詳述する。  図３及び図４に示すように、漏れ防止プレート１２は、中蓋３側に平坦な板状部材からなる中蓋側プレート１２ｊを有しており、この中蓋側プレート１２ｊの平坦面によって、漏れ防止プレート１２が外蓋５に対して移動したときに、中蓋３に対して円滑に移動可能な構成となっている。  また、上述のように、漏れ防止プレート１２は、外蓋５の内側に移動可能に配置され、具体的には、以下のような構成となっている。
【００３５】  図３に示すように、漏れ防止プレート１２は、その移動方向（図４の矢印Ｘ１方向）沿って、両側に各々２つずつ一定の間隔を設けて、プレート側ガイド爪１２ａを有している。このプレート側ガイド爪１２ａは、図４の外蓋５に対応して配置されている外蓋側爪５ｆと係合し、図４の矢印Ｘ１方向に移動可能な構成となっている。すなわち、漏れ防止プレート１２は、外蓋５に対してスライド可能に配置されている。
【００３６】  また、図３に示すように、漏れ防止プレート１２は、２つの抜け止め用ボス１２ｂを有している。すなわち、図３の漏れ防止プレート１２が、外蓋５に装着され、図４等の矢印Ｘ１方向に移動可能な状態では、例えば、図３の長手方向に配置されている２つのプレート側ガイド爪１２ａの間に、図４の外蓋側ガイド爪５ｆが位置すると、漏れ防止プレート１２は、外蓋５から外れてしまうおそれがある。  このため、漏れ防止プレート１２は、抜け止め用ボス１２ｂを２つ設けると共に、この抜け止め用ボス１２ｂが当接するストッパ５ｇを、図４に示すように、外蓋５に形成した。
【００３７】  したがって、外蓋５に係合し、図４の矢印Ｘ１方向に移動可能な漏れ防止プレート１２は、図３に示す２つの抜け止め用ボス１２ｂが、図４の２つのストッパ５ｇに当接することで移動が規制され、外蓋５から外れることを未然に防ぐことができる構成となっている。  そして、漏れ防止プレート１２を外蓋５から取り外すときは、抜け止め用ボス１２ｂがストッパ５ｇを乗り越えるまで、利用者等が漏れ防止プレート１２を移動させる構成となっている。  このように、漏れ防止プレート１２は、外蓋５から取り外すことができ、漏れ防止プレート１２を洗浄等し易い構成となっているので、利用者等が、ストローカップ１を衛生的な状態に維持させ易い構成となっている。  また、逆に、取り外された漏れ防止プレート１２は、そのプレート側ガイド爪１２ａと外蓋５の外蓋用ガイド爪５ｆを係合させることで、容易に外蓋５に装着することができる構成ともなっている。このように、漏れ防止プレート１２は、外蓋５に対して容易に着脱可能な構成となっている。
【００３８】  ところで、図４に示すように、漏れ防止プレート１２の中蓋３側に形成された平坦な中蓋側プレート１２ｊから矢印Ｘ１方向に沿って、突出するように２つの係合爪１２ｇが形成されている。この係合爪１２ｇは、漏れ防止プレート１２が図４の外蓋５に装着され、外蓋５が図１に示すように、中蓋３に対して閉状態になるように配置されたときに、図３に示す中蓋３の被係合部材３ｊと係合し、外蓋５が中蓋３に対して係合固定される構成となっている。  この被係合部材３ｊは、図３に示すように、中蓋３の台部３ｌから漏れ防止プレート１２側に向かって突出して形成され、この被係合部材３ｊと台部３ｌとの間には、漏れ防止プレート１２の係合爪１２ｇが挿入可能な穴部が形成されている。  したがって、外蓋５が中蓋３に対して係合固定されると、図５に示すように、ストロー８は、第１の中蓋側閉塞用突起３ｈ、第２の中蓋側閉塞用突起３ｉ及び外蓋側閉塞用突起５ｅによって閉塞され、容器本体２内の飲料がストロー８から漏れ出すことを確実に防止される構成となっている。
【００３９】  また、図３及び図４に示すように、漏れ防止プレート１２には、図４の矢印Ｘ１方向に沿って突出するように、解除操作部である例えば、解除片１２ｃが形成されている。  この解除片１２ｃは、漏れ防止プレート１２を装着した外蓋５を中蓋３上に配置したときに、利用者等が外側から押し込む等の操作をすることで、漏れ防止プレート１２の係合爪１２ｇが、図３の被係合部材３ｊから外れ、外蓋５と中蓋３との係合が解除される構成となっている。  したがって、利用者は、係合片１２ｃを操作するだけで、容易に外蓋５と中蓋３の係合を解除することができる。
【００４０】  図３の漏れ防止プレート１２には、図３のバネ部材１３を配置するバネ装着領域１２ｄが形成されている。また、漏れ防止プレート１２には、図３のバネ首部１３ａを固定するためのバネ取付用切り欠き１２ｅが形成されている。  このように、漏れ防止プレート１２に装着されたバネ部材１３が、漏れ防止プレート１２と共に、図３の外蓋５に配置されると、図３のバネ部材１３のバネ後端部１３ｂは、図４の外蓋５のバネ当接部５ｉに当接する。  したがって、この状態で、漏れ防止プレート１２は、バネ部材１３によって、図４の矢印Ｘ１のＸ１ａ方向に付勢させられ、漏れ防止プレート１２と一体に形成されている解除片１２ｃも同様に、図４の矢印Ｘ１のＸ１ａ方向に付勢させられる構成となっている。
【００４１】  この解除片１２ｃは、漏れ防止プレート１２を外蓋５に係合、装着させたときに、外蓋５に形成されている解除片用開口５ｈ（図４参照）に配置され、外蓋５から突出する方向に付勢され、配置される。このため、解除片１２ｃは、図５に示すように、利用者等が操作し易いように配置される。  すなわち、利用者は、バネ部材１３の付勢力に抗して、解除片１２ｃを押し込むことで、漏れ防止プレート１２を移動させ、外蓋５と中蓋３との係合を解除することができる構成となっている。  一方、利用者等が解除片１２ｃを操作しないときは、バネ部材１３の付勢力によって、外蓋５が中蓋３に係合する構成ともなっている。
【００４２】  また、図４及び図５等に示すように、解除片１２ｃには、その移動方向に沿って、突出するように解除片保持爪１２ｆが形成されている。  この解除片保持爪１２ｆに対応して、図５に示すように、外蓋５の外蓋側閉塞用突起５ｅには、この解除片保持爪１２ｆを挿入保持するための解除片保持爪開口５ｊが形成されている。
【００４３】  したがって、解除片１２ｃの移動方向は、解除片保持爪１２ｆが解除片保持爪開口５ｊ内を摺動することによって、解除片１２ｃの垂れ下がり等を未然に防止することができる。
【００４４】  ところで、図４に示すように、漏れ防止プレート１２の中蓋側プレート１２ｊには、閉塞通気兼用部１２ｈが形成されている。  図７に示すように、閉塞通気兼用部１２ｈは、漏れ防止プレート１２の中蓋側プレート１２ｊから中蓋３側に突出する突出部１２ｈａを有すると共に、その突出部１２ｈａの一方側である、図４の解除片１２ｃ側に、突出部１２ｈａの頂点部分からなだらかな勾配（傾斜）となっている通気確保部１２ｈｂを有している。
【００４５】  この閉塞通気兼用部１２ｈは、漏れ防止プレート１２が外蓋５に装着され、外蓋５が中蓋３と係合状態になったときに、図５に示すように、通気弁１０を覆い閉塞する構成となっている。  具体的には、図７で示す突出部１２ｈａが通気弁１０の筒状部１０ｂ（図３参照）の上面と同一乃至やや大きい形状となっており、図５に示すように、外蓋５を閉塞状態（閉塞位置の一例）にしたときに、確実に通気弁１０を覆い、閉塞する。  通気弁１０は、図４に示すようにスリット１０ａを有するため、容器本体２内の飲料が漏れにくい構成となっているが、本実施の形態では、更に、閉塞通気兼用部１２ｈの突出部１２ｈａで通気弁１０の筒状部１０ｂを覆うことで、飲料の漏出を確実に防ぐ構成となっている。  特に、スリット１０ａが経年変化で周囲の樹脂が劣化した場合は、この突出部１２ｈａで通気弁１０を閉塞するので、外蓋５を閉状態としたときに、容器本体２内の飲料の漏れを確実に防ぐことができる。
【００４６】  この通気弁１０は、図３に示すように、筒状の筒状部１０ｂを有し、その内部には、スリット１０ａが形成されている板状部１０ｃが配置されている。  この板状部１０ｃは、図５に示すように、容器本体２側に突出するように形成された略ドーム形状でなり、その頂部にスリット１０ａが形成されている。
【００４７】  そして、閉塞通気兼用部１２ｈの突出部１２ｈａは、この筒状部１０ｂ及びスリット１０ａに対向し、かつ近接して配置される。  また、本実施の形態では、スリット１０ａは、図５に示すように、容器本体２側に突出したドーム状の板状部１０ｃの頂部に設けられている。このため、利用者がストロー８を介して飲料を吸引し、容器本体２の内部が陰圧になったとき、ドーム状の頂部が容器本体２側に引っ張られ、弾性変形し、スリット１０ａが開き易い構成となっている。  すなわち、空気を容器本体２内に吸気し易い構成となっている。したがって、利用者が容器本体２内の陰圧により、ストロー８を介して飲料を吸いにくくなることを未然に防ぐ構成となっている。
【００４８】  また、このスリット１０ａは、図３等で示すように、細長い切れ目となっており、その長手方向は、図４の漏れ防止プレート１２の移動方向である矢印Ｙ１方向と交差、本実施の形態では例えば、直交するように配置されている。  このため、図５に示すように、外蓋５を中蓋３と係合させた状態で、利用者等が、解除片１２ｃを操作し、図４の矢印Ｘ１方向のうち、Ｘ１ｂ方向に、解除片１２ｃを移動させると、閉塞通気兼用部１２ｈも同じ方向に移動する（通気位置の一例）。  具体的には、図８に示すように、閉塞通気兼用部１２ｈの突出部１２ｈａが水平移動することで、当接されている通気弁１０の筒状部１０ｂ上面もつられて移動することとなる。このとき、通気弁１０の形状が変形することで、図６に示すようにスリット１０ａが開放状態となる。
【００４９】  このように、スリット１０ａの長手方向の切れ目が、矢印Ｘ１方向と直交するように配置されているので、閉塞通気兼用部１２ｈの突出部１２ｈａが、スリット１０ａを広げるように動作し易い構成となっている。  すなわち、図６に示すように、スリット１０ａは、突出部１２ｈａによって大きく広げられることになる。
【００５０】  本実施の形態では、図８に示すように、閉塞通気兼用部１２ｈが、解除片１２ｃの移動により図５のＸ１ｂ方向に移動したときは、閉塞通気兼用部１２ｈの通気確保部１２ｈｂと筒状部１０ｂとの間に、スリット１０ａからの通気を外部へ排出するのを確保するための通気路１４が確保される構成となっている。  このように、本実施の形態では、利用者が解除片１２ｃによって、外蓋５を開け、ストロー８の閉塞を解除する前に、スリット１０ａが突出部１２ｈａによって強制的に開放させられ、その通気は、通気路１４によって確保され、容器本体２内の圧力も開放させられるので、容器本体２内の温かいミルク等の飲料がストロー８から噴出することを未然に防ぐことができる。
【００５１】  また、本実施の形態では、漏れ防止プレート１２に、解除片１２ｃ及び閉塞通気兼用部１２ｈが一体的に形成されている。このため、解除片１２ｃの動作と閉塞通気兼用部１２ｈの協働が確実となり、例えば、解除片１２ｃが動作しているにもかかわらず、閉塞通気兼用部１２ｈの突起部１２ｈａが通気弁１０を通気させない等の弊害の発生を未然に防止することができる。  以上のように、本実施の形態では、通気確保部１２ｈｃは、通気弁１０の筒状部１０ｃに当接し、通気弁１０を閉塞すると共に、解除片１２ｃの操作で、漏れ防止プレート１２が移動したときは、通気路１４を確保する構成となっているので、通気弁１０の閉塞状態及び通気状態を確実なものとすることができる構成となっている。
【００５２】  また、本実施の形態では、通気弁１０にスリット１０ａを設けることで，容器本体２内の飲料を漏れ難くすることができ、且つ、容器本体２内の圧力開放も行い易い構成となっている。  そして、閉塞通気兼用部１２ｈにより、スリット１０ａからの万一の飲料の漏れも未然に防止することができる。さらに、外蓋５を開く際のストロー８からの飲料の噴出を防止すべく、スリット１０ａを閉塞通気兼用部１２ｈの突出部１２ｈａにより、強制的に広げる構成ともなっている。したがって、利用者等が使い易いストローカップ１となっている。
【符号の説明】
【００５３】  １・・・ストローカップ、２・・・容器本体、３・・・中蓋、３ａ，３ｂ・・・外蓋用位置決め突部、３ｃ・・・ヒンジ受け部、３ｄ・・・ストロー挿通孔、３ｅ・・・通気弁装着孔、３ｆ，３ｇ・・・ストロー位置決め用ボス、３ｈ・・・第１の中蓋側閉塞用突起、３ｉ・・・第２の中蓋側閉塞用突起、３ｊ・・・被係合部材、３ｋ・・・中央凹部、４ａ，４ｂ・・・取っ手、５・・・外蓋、５ｃ，５ｄ・・・外蓋外周端部、５ｅ・・・外蓋側閉塞用突起、５ｆ・・・外蓋側爪、５ｇ・・・ストッパ、５ｈ・・・解除片用開口、５ｉ・・・バネ当接部、５ｊ・・・解除片保持爪開口、７・・・ヒンジ部材、７ａ・・・第１のヒンジ、７ｂ・・・第２のヒンジ、７ｃ・・・ヒンジ突起、７ｄ・・・ヒンジ凹部、８・・・ストロー、１０・・・通気弁、１０ａ・・・スリット、１０ｂ・・・筒状部、１０ｃ・・・板状部、１２・・・漏れ防止プレート、１２ａ・・・プレート側ガイド爪、１２ｂ・・・抜け止め用ボス、１２ｃ・・・解除片、１２ｄ・・・バネ装着領域、１２ｅ・・・バネ取付用切り欠き、１２ｆ・・・解除片保持爪、１２ｇ・・・係合爪、１２ｈ・・・閉塞通気兼用部、１２ｈａ・・・突出部、１２ｈｂ・・・通気確保部、１２ｊ・・・中蓋側プレート、１３・・・バネ部材、１３ａ・・・バネ首部
【図１】
0005936354.tif 000002
【図２】
0005936354.tif 000003
【図３】
0005936354.tif 000004
【図４】
0005936354.tif 000005
【図５】
0005936354.tif 000006
【図６】
0005936354.tif 000007
【図７】
0005936354.tif 000008
【図８】
0005936354.tif 000009